(57)【要約】【課題】ナノバブル含有水による植物の生育促進効果を発揮させ、又は従来よりも向上させることを目的とする。【解決手段】植物体支持体と、植物体支持体にナノバブル含有水を供給可能なナノバブル含有水供給源と、ナノバブル含有水供給源からのナノバブル含有水を微細化して供給可能なナノバブル含有水滴供給手段とを有し、植物体支持体は、一つ又は複数の通水孔を含み、植物体を支持する植物体支持部と、植物体支持部の表面側に配されてナノバブル含有水を保持可能な植物体支持体上部と、植物体支持部の裏面側に配された植物体支持体下部とを有し、植物体支持体下部の内部には、微細化されたナノバブル含有水をナノバブル含有水供給源からナノバブル含有水滴供給手段により供給可能であり、植物体支持体上部には、ナノバブル含有水をナノバブル含有水供給源から供給可能である植物栽培装置である。【選択図】図１
2018171021.tif 000002
【特許請求の範囲】
【請求項１】
植物体支持体と、
前記植物体支持体にナノバブル含有水を供給可能なナノバブル含有水供給源と、
前記ナノバブル含有水供給源からの前記ナノバブル含有水を微細化して供給可能なナノバブル含有水滴供給手段とを有し、
前記植物体支持体は、
一つ又は複数の通水孔を含み、植物体を支持する植物体支持部と、
前記植物体支持部の表面側に配されて前記ナノバブル含有水を保持可能な植物体支持体上部と、
前記植物体支持部の裏面側に配された植物体支持体下部とを有し、
前記植物体支持体下部の内部には、微細化された前記ナノバブル含有水を前記ナノバブル含有水供給源から前記ナノバブル含有水滴供給手段により供給可能であり、
前記植物体支持体上部には、前記ナノバブル含有水を前記ナノバブル含有水供給源から供給可能であることを特徴とする植物栽培装置。
【請求項２】
植物体支持体と、
前記植物体支持体にナノバブル含有水を供給可能なナノバブル含有水供給源とを有し、
前記植物体支持体は、
一つ又は複数の通水孔を含み、植物体を支持する植物体支持部と、
前記植物体支持部の表面側に配された植物体支持体上部とを有し、
前記植物体支持体上部には、前記ナノバブル含有水を前記ナノバブル含有水供給源から供給可能であることを特徴とする植物栽培装置。
【請求項３】
植物体支持体と、
前記植物体支持体にナノバブル含有水を供給可能なナノバブル含有水供給源と、
前記ナノバブル含有水供給源からの前記ナノバブル含有水を微細化して供給可能なナノバブル含有水滴供給手段とを有し、
前記植物体支持体は、
植物体を支持する植物体支持部と、
前記植物体支持部の裏面側に配された植物体支持体下部とを有し、
前記植物体支持体下部の内部には、微細化された前記ナノバブル含有水を前記ナノバブル含有水供給源から前記ナノバブル含有水滴供給手段により供給可能であることを特徴とする植物栽培装置。
【請求項４】
前記植物体支持体は、自立可能であることを特徴とする請求項１から請求項３のいずれか一項に記載の植物栽培装置。
【請求項５】
前記植物体支持部の下には固体面が配されていることを特徴とする請求項１から請求項４のいずれか一項に記載の植物栽培装置。
【請求項６】
前記植物体支持部の下には培養液面が配されていることを特徴とする請求項１から請求項４のいずれか一項に記載の植物栽培装置。
【請求項７】
前記ナノバブル含有水供給源は、ナノバブル発生装置と、前記ナノバブル発生装置からのナノバブル含有水を貯めるナノバブル含有水タンクとを含むことを特徴とする請求項１から請求項６のいずれか一項に記載の植物栽培装置。
【請求項８】
一つ又は複数の通水孔を含み、植物体を支持する植物体支持部と、
前記植物体支持部の表面側に配されてナノバブル含有水を保持可能な植物体支持体上部と、
前記植物体支持部の裏面側に配された植物体支持体下部とを有し、
前記植物体支持体下部の内部には、前記植物体支持体下部の下方に配される供給源の表面である供給源面と前記植物体支持部の裏面との間に空間を形成可能であることを特徴とする栽培パネル。
【請求項９】
通水孔が設けられた植物体支持部を有する植物体支持体による植物栽培方法であって、
前記通水孔に植物体を配置することで、前記植物体支持体の下方に配された前記植物体への供給源の表面である供給源面と前記植物体支持部の裏面との間に形成された空間に少なくとも前記植物体の根部の上部をさらしつつ前記供給源面に前記根部の下部をさらす工程と、
前記空間にナノバブル含有水を微細化して供給する工程と、
前記植物体支持部の表面側に前記ナノバブル含有水を供給する工程とを含むことを特徴とする植物栽培方法。
【請求項１０】
通水孔が設けられた植物体支持部を有する植物体支持体による植物栽培方法であって、
前記通水孔に植物体を配置することで、前記植物体支持体の下方に配された前記植物体への供給源の表面である供給源面に前記植物体の根部をさらす工程と、
前記植物体支持部の表面側にナノバブル含有水を供給する工程とを含むことを特徴とする植物栽培方法。
【請求項１１】
植物体支持部を有する植物体支持体による植物栽培方法であって、
前記植物体支持部に植物体を支持させることで、前記植物体支持体の下方に配された前記植物体への供給源の表面である供給源面と前記植物体支持部の裏面との間に形成された空間に少なくとも前記植物体の根部の上部をさらしつつ前記供給源面に前記根部の下部をさらす工程と、
前記空間にナノバブル含有水を微細化して供給する工程とを含むことを特徴とする植物栽培方法。
【請求項１２】
前記供給源面は固体面であることを特徴とする請求項９から請求項１１のいずれか一項に記載の植物栽培方法。
【請求項１３】
前記供給源面は培養液面であることを特徴とする請求項９から請求項１１のいずれか一項に記載の植物栽培方法。
【発明の詳細な説明】
【技術分野】
【０００１】
本発明は、植物栽培装置、この植物栽培装置に適用可能な栽培パネル及びこれらを用いた植物栽培方法に関する。
【背景技術】
【０００２】
従来、微小気泡を含む培養液等を用いることにより、植物の生育促進が可能であることが広く知られている。
【０００３】
例えば、特許文献１には、葉菜類の生育を促進しつつ、収穫量を増加させることを目的として、苗の定植後に、マイクロナノバブル非含有の水耕液を用いる栽培工程と、この栽培工程後に、マイクロナノバブルを含有させた水耕液を用いる栽培工程と、この栽培工程後に、マイクロナノバブル非含有の水耕液を用いる栽培工程と、を備える水耕栽培方法が開示されている。特許文献１には、マイクロナノバブルは、マイクロバブルとナノバブルとが混在した気泡群であると記載されている。また、特許文献１では、マイクロバブルは、直径が数十μｍ以下の気泡と定義され、ナノバブルは、直径が１μｍよりも小さい気泡と定義されている。
【先行技術文献】
【特許文献】
【０００４】
【特許文献１】特開２０１５−９７５１６号公報
【発明の概要】
【発明が解決しようとする課題】
【０００５】
しかしながら、上記の特許文献１によれば、水耕液にマイクロナノバブルを含有させるので、水耕液によってマイクロナノバブル水が希釈される。そのため、マイクロナノバブル水による植物の生育促進効果が抑制されてしまう、という問題があった。
【０００６】
本発明は、上記に鑑みてなされたものであって、ナノバブル含有水による植物の生育促進効果を発揮させ、又は従来よりも向上させることを目的とする。
【課題を解決するための手段】
【０００７】
上述した課題を解決し、目的を達成するために、本発明の一態様は、植物体支持体と、植物体支持体にナノバブル含有水を供給可能なナノバブル含有水供給源と、ナノバブル含有水供給源からのナノバブル含有水を微細化して供給可能なナノバブル含有水滴供給手段とを有する植物栽培装置である。この植物体支持体は、一つ又は複数の通水孔を含み、植物体を支持する植物体支持部と、植物体支持部の表面側に配されてナノバブル含有水を保持可能な植物体支持体上部と、植物体支持部の裏面側に配された植物体支持体下部とを有する。植物体支持体下部の内部には、微細化されたナノバブル含有水をナノバブル含有水供給源からナノバブル含有水滴供給手段により供給可能であり、植物体支持体上部には、ナノバブル含有水をナノバブル含有水供給源から供給可能である。
【０００８】
また、本発明の他の一態様は、植物体支持体と、植物体支持体にナノバブル含有水を供給可能なナノバブル含有水供給源とを有する植物栽培装置である。この植物体支持体は、一つ又は複数の通水孔を含み、植物体を支持する植物体支持部と、植物体支持部の表面側に配された植物体支持体上部とを有する。植物体支持体上部には、ナノバブル含有水をナノバブル含有水供給源から供給可能である。
【０００９】
また、本発明の他の一態様は、植物体支持体と、植物体支持体にナノバブル含有水を供給可能なナノバブル含有水供給源と、ナノバブル含有水供給源からのナノバブル含有水を微細化して供給可能なナノバブル含有水滴供給手段とを有する植物栽培装置である。この植物体支持体は、植物体を支持する植物体支持部と、植物体支持部の裏面側に配された植物体支持体下部とを有する。植物体支持体下部の内部には、微細化されたナノバブル含有水をナノバブル含有水供給源からナノバブル含有水滴供給手段により供給可能である。
【００１０】
なお、本発明の上記の態様において、植物体支持体は、自立可能であることが好ましい。
【００１１】
なお、本発明の上記の態様において、植物体支持部の下には固体面が配されていることが好ましい。
【００１２】
又は、本発明の上記の態様において、植物体支持部の下には培養液面が配されていることが好ましい。
【００１３】
なお、本発明の上記の態様において、ナノバブル含有水供給源は、ナノバブル発生装置と、ナノバブル発生装置からのナノバブル含有水を貯めるナノバブル含有水タンクとを含むことが好ましい。
【００１４】
また、本発明の他の一態様は、一つ又は複数の通水孔を含み、植物体を支持する植物体支持部と、植物体支持部の表面側に配されてナノバブル含有水を保持可能な植物体支持体上部と、植物体支持部の裏面側に配された植物体支持体下部とを有し、植物体支持体下部の下方には、植物体の生育に必要な要素を植物体に供給する、ナノバブル含有水供給源とは異なる供給源が配され、植物体支持体下部の内部には、供給源の表面である供給源面と植物体支持部の裏面との間に空間を形成可能である栽培パネルである。
【００１５】
また、本発明の他の一態様は、通水孔が設けられた植物体支持部を有する植物体支持体による植物栽培方法であって、通水孔に植物体を配置することで、植物体支持体の下方に配された植物体への供給源の表面である供給源面と植物体支持部の裏面との間に形成された空間に少なくとも植物体の根部の上部をさらしつつ供給源面に根部の下部をさらす工程と、空間にナノバブル含有水を微細化して供給する工程と、植物体支持部の表面側にナノバブル含有水を供給する工程とを含む植物栽培方法である。
【００１６】
また、本発明の他の一態様は、通水孔が設けられた植物体支持部を有する植物体支持体による植物栽培方法であって、通水孔に植物体を配置することで、植物体支持体の下方に配された植物体への供給源の表面である供給源面に植物体の根部をさらす工程と、植物体支持部の表面側にナノバブル含有水を供給する工程とを含む植物栽培方法である。
【００１７】
また、本発明の他の一態様は、植物体支持部を有する植物体支持体による植物栽培方法であって、植物体支持部に植物体を支持させることで、植物体支持体の下方に配された植物体への供給源の表面である供給源面と植物体支持部の裏面との間に形成された空間に少なくとも植物体の根部の上部をさらしつつ供給源面に根部の下部をさらす工程と、空間にナノバブル含有水を微細化して供給する工程とを含む植物栽培方法である。
【００１８】
なお、本発明の上記の植物栽培方法の態様において、供給源面は固体面であることが好ましい。
【００１９】
又は、本発明の上記の植物栽培方法の態様において、供給源面は培養液面であることが好ましい。
【００２０】
なお、本発明におけるナノバブル含有水は、直径が１μｍよりも小さい気泡を含むが、直径が１００μｍ以下の気泡であるマイクロバブルも含まれていてもよい。
【発明の効果】
【００２１】
本発明によれば、ナノバブル含有水による植物の生育促進効果を発揮させ、又は従来よりも向上させることができるという効果を奏する。
【図面の簡単な説明】
【００２２】
【図１】図１は、本発明の実施の形態１に係る植物栽培装置の一構成例を示す図である。
【図２】図２（Ａ）は、図１に示す植物体支持体の外観の一例を示す斜視図であり、図２（Ｂ）は、図２（Ａ）におけるＢ−Ｂ断面を示す断面図である。
【図３】図３は、図１に示すナノバブル含有水供給源の一構成例を示す図である。
【図４】図４は、図１に示す通水孔を拡大した拡大図である。
【図５】図５は、実施の形態１に係る植物栽培方法の第１の例を説明する第１図である。
【図６】図６は、実施の形態１に係る植物栽培方法の第１の例を説明する第２図である。
【図７】図７は、実施の形態１に係る植物栽培方法の第２の例を説明する第１図である。
【図８】図８は、実施の形態１に係る植物栽培方法の第２の例を説明する第２図である。
【図９】図９は、本発明の実施の形態２に係る植物栽培装置の一構成例を示す図である。
【図１０】図１０は、本発明の実施の形態３に係る植物栽培装置の一構成例を示す図である。
【発明を実施するための形態】
【００２３】
以下に、本発明に係る植物栽培装置、栽培パネル及び植物栽培方法の実施の形態について図面を参照して詳細に説明する。なお、本発明は、以下の実施の形態の記載に限定されるものではない。また、以下の実施の形態の説明において、同一構成には同一符号を付し、異なる構成には異なる符号を付すものとする。
【００２４】
＜実施の形態１＞
図１は、本発明の実施の形態１に係る植物栽培装置の一構成例を示す図である。図１に示す植物栽培装置１００は、植物体支持体１１０と、植物体支持体１１０にナノバブル含有水を供給可能なナノバブル含有水供給源１２０と、ナノバブル含有水供給源１２０からのナノバブル含有水を微細化して供給可能なナノバブル含有水滴供給手段１１７とを有する。植物体支持体１１０は、複数の通水孔１１１を含み、植物体を支持する植物体支持部１１２と、植物体支持体上部である上方開放部１１３と、植物体支持体下部である下方開放部１１４とを有する。上方開放部１１３は、植物体支持部１１２の表面１１２ｆ側に配されて上部１１３Ｕが開放された、ナノバブル含有水を保持可能な植物体支持体上部である。下方開放部１１４は、植物体支持部１１２の裏面１１２ｒ側に配されて下部１１４Ｌが開放された植物体支持体下部である。なお、ナノバブル含有水は、直径が１μｍよりも小さい気泡であるナノバブルを含むが、直径が１００μｍ以下の気泡であるマイクロバブルも含まれていてもよい。
【００２５】
下方開放部１１４は、植物体支持部１１２の下方に配された植物体への供給源１１５ｓの表面である供給源面１１５と植物体支持部１１２の裏面１１２ｒとの間に空間１１６を形成可能であり、下方開放部１１４の内部である空間１１６には、微細化されたナノバブル含有水を供給可能である。なお、供給源面１１５を含む供給源１１５ｓについては後述する。上方開放部１１３には、ナノバブル含有水をナノバブル含有水供給源１２０から供給可能である。図１に示す例では、下方開放部１１４は、植物体支持部１１２を支持する側部を有する。この側部は、植物体支持部１１２と植物体支持体１１０の設置面との間に介在する。下方開放部１１４には、この側部と、供給源面１１５と、植物体支持部１１２の裏面１１２ｒとで囲まれた空間１１６が形成される。また、上方開放部１１３は、換言すると、上端面が植物体支持部１１２の表面１１２ｆよりも上に存在し、植物体支持部１１２に密着する枠状部材である。この枠状部材は、植物体支持部１１２において、全ての通水孔１１１の外側に配されている。
【００２６】
図２（Ａ）は、図１に示す植物体支持体１１０の外観の一例を示す斜視図であり、図２（Ｂ）は、図２（Ａ）におけるＢ−Ｂ断面を示す断面図である。図２（Ｂ）に示すように、植物体支持体１１０では、植物体支持部１１２の表面１１２ｆ側に配された上方開放部１１３の上部が開放され、植物体支持部１１２の裏面１１２ｒ側に配された下方開放部１１４の下部が開放され、植物体支持体１１０の断面形状はＨ型形状である。植物体支持体１１０の形状は、図２（Ｂ）に示す断面形状となるように、上方開放部１１３は側面１１３Ｓに囲まれた形状であり、下方開放部１１４は側面１１４Ｓに囲まれた形状である。なお、側面１１３Ｓ及び側面１１４Ｓには通気孔が設けられていてもよい。
【００２７】
図１に示すナノバブル含有水滴供給手段１１７は、ナノバブル含有水を微細化して水滴とし、ナノバブル含有水滴を空間１１６に放出可能な構成である。ナノバブル含有水滴供給手段１１７としては、噴霧器及び加湿器を例示することができる。ただし、ナノバブル含有水滴供給手段１１７は、噴霧器及び加湿器に限定されるものではなく、ナノバブル含有水を微細化可能であれば特定の構成に限定されるものではない。なお、ナノバブル含有水滴は、直径が少なくともナノバブルよりも大きい水滴であって、具体的には１μｍ以上６ｍｍ以下、好ましくは２０μｍ以上１ｍｍ以下の水滴である。
【００２８】
図１に示す空間１１６は、通水孔１１１及びナノバブル含有水滴供給手段１１７が設けられる部分以外を密閉した閉空間であることが好ましい。空間１１６を閉空間とすると、微細化したナノバブル含有水を空間１１６内に長時間滞留させやすいからである。
【００２９】
図１，２に示すように、植物体支持体１１０は、植物体支持体１１０の設置面上に自立可能であることが好ましい。ただし、本実施の形態に係る植物栽培装置は、これに限定されるものではない。本実施の形態に係る植物栽培装置は、植物体支持体１１０の設置面上に自立不可又は自立困難な構成であってもよく、この場合には、図示しない自立を補助する自立補助具により自立可能であればよい。植物体支持体１１０が、植物体支持体１１０の設置面上に自立可能である場合には、植物体支持体１１０を自立補助具のない簡素な構成とすることができる。
【００３０】
図１に示す供給源面１１５は、液面及び固体面のいずれかであればよい。液面は、水面及び培養液面のいずれかであればよく、固体面は、土壌面及び培地面のいずれかであればよい。供給源面１１５の下には、供給源面１１５を含む供給源１１５ｓが存在する。供給源１１５ｓは、液体及び固体のいずれかであればよく、固体である場合には土壌及び培地のいずれかであればよく、液体である場合には水及び培養液のいずれかであればよい。なお、供給源１１５ｓである固体には、地面から採取後に調整を行っていない土壌である表土、地面から採取後に植物栽培に適した物理化学条件になるように調整を行った土壌である培養土、砂又はバーミキュライト等の粒子状鉱物、粒子状のサンゴ等の粒子状生物由来物質、及び寒天又はゼラチン等のゲル状物質を例示することができる。ここで、供給源１１５ｓは、植物体支持部１１２に支持される植物体の生育に必要な要素を植物体に供給する、ナノバブル含有水供給源１２０とは異なる供給源である。本実施の形態に係る植物栽培装置によれば、ナノバブル含有水が供給源１１５ｓとは異なる部分から植物体に直接供給される。そのため、ナノバブル含有水による植物の生育促進効果を発揮させ、又は従来よりも向上させることができる。更には供給源１１５ｓへのナノバブル含有水の混入又は浸入を防止し、又は抑制することができる。供給源１１５ｓが培養液である場合には、そのイオンバランスを維持することが特に重要である。本実施の形態に係る植物栽培装置によれば、培養液中のイオンバランスを維持しつつ、ナノバブル含有水による植物の生育促進効果を発揮させ、又は従来よりも向上させることができる。すなわち、本実施の形態に係る植物栽培装置は、供給源１１５ｓが培養液である場合、すなわち供給源面１１５が培養液面である場合にその効果が特に顕著であるといえる。
【００３１】
図３は、図１に示すナノバブル含有水供給源１２０の一構成例を示す図である。図３に示すナノバブル含有水供給源１２０は、ナノバブル発生装置１２１と、ナノバブル発生装置１２１からのナノバブル含有水を貯めるナノバブル含有水タンク１２２とを含む。図３に示すナノバブル発生装置１２１は、押し出し法、せん断法、エジェクター法、加圧溶解法、二相流旋回方式等の公知のマイクロバブル発生方法を利用したマイクロバブル発生装置を有し、このマイクロバブル発生装置によって水にマイクロバブルを発生させてマイクロバブル含有水を生成し、このマイクロバブル含有水を所定時間だけ静置することでマイクロバブルをナノバブルに変化させ、ナノバブル含有水を生成する。図３に示すナノバブル含有水タンク１２２は、ナノバブル含有水を保持可能な容器である。なお、ナノバブル発生装置１２１において行う静置をナノバブル含有水タンク１２２にて行ってもよい。このときには、外部からの水がナノバブル含有水タンク１２２に供給され、この水をナノバブル発生装置１２１とナノバブル含有水タンク１２２との間で循環させつつ、この水にマイクロバブルを発生させた後にナノバブル含有水タンク１２２にてマイクロバブル含有水を所定時間だけ静置することでマイクロバブルをナノバブルに変化させ、ナノバブル含有水を生成させればよい。上方開放部１１３及び下方開放部１１４には、ナノバブル含有水タンク１２２からナノバブル含有水が供給される。なお、下方開放部１１４には、ナノバブル含有水滴供給手段１１７により微細化されたナノバブル含有水が供給される。
【００３２】
図４は、図１に示す通水孔１１１を拡大した拡大図である。図４に示す通水孔１１１は、図１に示す上方開放部１１３と下方開放部１１４との間を貫通する貫通孔１１１１に吸水体１１１２が配された構成である。図４に示す吸水体１１１２には、綿、フェルト、ガーゼ、布、コルク等の木材、スポンジ、ロックウール及びパーム繊維を例示することができる。ただし、吸水体１１１２は、ナノバブル含有水を吸水可能であればこれらに限定されるものではなく、吸水体１１１２が吸水したナノバブル含有水を植物体１３０の根部１３１及び茎部の一方又は双方に供給可能な構成であればよい。貫通孔１１１１に吸水体１１１２が配されることで、ナノバブル含有水が植物体１３０へ徐々に時間をかけて供給される。ただし、通水孔１１１に吸水体１１１２が配されていなくてもよい。通水孔１１１に吸水体１１１２が配されない場合には、吸水体１１１２に代えて植物体１３０の固定を補助する部材が設けられていることが好ましい。このような植物体１３０の固定を補助する部材には、プラスチック製又は金属製のタワシを例示することができる。ここで、金属製のタワシには、スチールウールを例示することができる。
【００３３】
なお、図１に示す植物栽培装置１００が有する植物体支持体１１０である栽培パネルも本発明の一態様である。すなわち、本発明の一態様である栽培パネルは、複数の通水孔１１１を含み、植物体を支持する植物体支持部１１２と、植物体支持部１１２の表面１１２ｆ側に配されて上部１１３Ｕが開放された、ナノバブル含有水を保持可能な植物体支持体上部である上方開放部１１３と、植物体支持部１１２の裏面１１２ｒ側に配されて下部１１４Ｌが開放された植物体支持体下部である下方開放部１１４とを有し、下方開放部１１４は、下方開放部１１４の下方に配される供給源面１１５と植物体支持部１１２の裏面１１２ｒとの間に空間１１６を形成可能な形状である。なお、本発明の一態様である栽培パネルの表面は、撥水性、抗菌性及び耐腐食性を有する。
【００３４】
次に、本実施の形態に係る植物栽培方法について説明する。図５は、本実施の形態に係る植物栽培方法の第１の例を説明する第１図である。図６は、本実施の形態に係る植物栽培方法の第１の例を説明する第２図である。図５，６に示す植物栽培方法は、通水孔１１１が設けられた植物体支持部１１２を有する植物体支持体１１０による植物栽培方法である。植物体支持体１１０の供給源面１１５と植物体支持部１１２の裏面１１２ｒとの間には、空間１１６が形成されている。
【００３５】
まず、図５に示すように、通水孔１１１に植物体１３０を配置する。ここで、通水孔１１１への植物体１３０の配置は、例えば通水孔１１１への植物体１３０の挿入により行うことができるが、これに限定されるものではない。通水孔１１１への植物体１３０の配置は、空間１１６に少なくとも植物体１３０の根部１３１の上部をさらしつつ供給源面１１５に根部１３１の下部をさらすように行われる。なお、根部１３１の下部は、供給源１１５ｓ内に侵入していてもよい。ここで、根部１３１の上部と下部とは厳密に区別されるものではなく、根部１３１の下部は、供給源面１１５にさらされる根部１３１の一部であり、根部１３１の上部は、根部１３１の下部よりも植物体１３０の葉部及び茎部に近い、根部１３１の一部である。
【００３６】
次に、図６に示すように、空間１１６にナノバブル含有水を微細化して供給し、植物体支持部１１２の表面１１２ｆ側にナノバブル含有水を供給する。ただし、本実施の形態に係る植物栽培方法はこれに限定されず、植物体支持部１１２の表面１１２ｆ側にナノバブル含有水を供給した後に空間１１６にナノバブル含有水を微細化して供給してもよい。又は、空間１１６へのナノバブル含有水の供給と、植物体支持部１１２の表面１１２ｆ側へのナノバブル含有水の供給とを同時に行ってもよい。このように、植物体支持部１１２の表面１１２ｆ側のナノバブル含有水が通水孔１１１を介して植物体１３０の根部１３１及び茎部の一方又は双方に接触して供給され、空間１１６のナノバブル含有水が植物体１３０の根部１３１及び茎部の一方又は双方に接触して供給されるため、ナノバブル含有水による植物の生育促進効果を発揮させ、又は従来よりも向上させることが可能となる。
【００３７】
ここで、空間１１６にナノバブル含有水を微細化して供給するには、ナノバブル含有水滴供給手段１１７を用いればよい。空間１１６にナノバブル含有水を供給する頻度は、概ね３日に１回以上とすればよい。植物体支持部１１２の表面１１２ｆ側に供給されるナノバブル含有水は、概ね２４時間で乾燥してしまう水量とすればよい。また、植物体支持部１１２の表面１１２ｆ側にナノバブル含有水を供給する頻度は、概ね４日に１回以上とすればよい。ただし、本実施の形態に係る植物栽培方法において、ナノバブル含有水の供給頻度はこれらに限定されるものではない。
【００３８】
なお、ここで、図５，６に示す植物体１３０は非結球性葉菜類であり、例えば小松菜である。ただし、本実施の形態に係る植物栽培方法によれば、非結球性葉菜類のみならず、結球性葉菜類も栽培することができる。また、本実施の形態に係る植物栽培方法により栽培可能な野菜は、葉菜類に限定されるものではなく、本実施の形態に係る植物栽培方法によって果菜類が栽培されてもよいし、根菜類が栽培されてもよい。更には、本実施の形態に係る植物栽培方法により栽培可能な植物は、野菜に限定されるものではなく、本実施の形態に係る植物栽培方法によって例えば花卉が栽培されてもよい。
【００３９】
図７は、本実施の形態に係る植物栽培方法の第２の例を説明する第１図である。図８は、本実施の形態に係る植物栽培方法の第２の例を説明する第２図である。図７，８には、本実施の形態に係る植物栽培方法を適用して根菜類である蕪を栽培する方法を示している。図７は、図５に対応し、図８は、図６に対応するものである。まず、図７に示すように、通水孔１１１Ａに植物体１３０Ａを配置する。ここで、通水孔１１１Ａへの植物体１３０Ａの配置は、例えば通水孔１１１Ａへの植物体１３０Ａの挿入により行うことができるが、これに限定されるものではない。通水孔１１１Ａへの植物体１３０Ａの配置は、空間１１６に少なくとも植物体１３０Ａの根部１３１Ａの上部をさらしつつ供給源面１１５に根部１３１Ａの下部をさらすように行われる。なお、根部１３１Ａの下部は、供給源面１１５を含む供給源１１５ｓに侵入していてもよい。また、通水孔１１１Ａは、植物体１３０Ａである蕪を配置可能なように、通水孔１１１よりもサイズを大きくした点のみが通水孔１１１とは異なる。
【００４０】
次に、図８に示すように、空間１１６にナノバブル含有水を微細化して供給し、植物体支持部１１２の表面１１２ｆ側にナノバブル含有水を供給する。ただし、本実施の形態に係る植物栽培方法はこれに限定されず、植物体支持部１１２の表面１１２ｆ側にナノバブル含有水を供給した後に空間１１６にナノバブル含有水を微細化して供給してもよい。又は、空間１１６へのナノバブル含有水の供給と、植物体支持部１１２の表面１１２ｆ側へのナノバブル含有水の供給とを同時に行ってもよい。
【００４１】
なお、上述のように、供給源面１１５は、液面及び固体面のいずれかであればよく、液面は、水面及び培養液面のいずれかであればよく、固体面は、土壌面及び培地面のいずれかであればよい。供給源面１１５の下には、供給源面１１５を含む供給源１１５ｓが存在する。供給源１１５ｓは、液体及び固体のいずれかであればよく、固体である場合には土壌及び培地のいずれかであればよく、液体である場合には水及び培養液のいずれかであればよい。本実施の形態に係る植物栽培方法によれば、ナノバブル含有水が供給源面１１５を含む供給源１１５ｓとは異なる部分から植物体１３０，１３０Ａに直接供給される。そのため、ナノバブル含有水による植物の生育促進効果を発揮させ、又は従来よりも向上させることができる。更には、供給源面１１５を含む供給源１１５ｓへのナノバブル含有水の混入又は浸入を防止し、又は抑制することができる。供給源１１５ｓが培養液である場合には、そのイオンバランスを維持することが特に重要である。本実施の形態に係る植物栽培方法によれば、培養液中のイオンバランスを維持しつつ、ナノバブル含有水による植物の生育促進効果を発揮させ、又は従来よりも向上させることができる。すなわち、本実施の形態に係る植物栽培方法は、供給源１１５ｓが培養液である場合、すなわち供給源面１１５が培養液面である場合にその効果が特に顕著であるといえる。
【００４２】
従来、ナノバブル含有水を用いた植物栽培方法においては、供給源である培養液等に対して直接ナノバブル処理を行っていた。しかしながら、培養液等にナノバブル処理を行うと、培養液等に含まれる鉄をはじめとする微量金属が酸化されて析出してしまうことがあった。このように培養液等の微量金属が析出してしまうと、培養液等のイオンバランスが変化してしまう。
【００４３】
そこで、ナノバブル含有水を用いた他の植物栽培方法として、ナノバブルを高密度に含む水又はヒドロキシラジカルを高濃度で含む水を別途作成し、これらを培養液に添加する方法を挙げることができる。しかしながら、このように別途作成したナノバブルを高密度に含む水又はヒドロキシラジカルを高濃度で含む水を培養液に添加する方法では、培養液によってナノバブルを高密度に含む水又はヒドロキシラジカルを高濃度で含む水が希釈されてしまう。そのため、ナノバブルによる生育促進効果が抑制され、又は生育促進効果を生じないことがある。
【００４４】
本実施の形態に係る植物栽培装置、栽培パネル及び植物栽培方法によれば、植物体にナノバブル含有水を直接供給することができる。そのため、ナノバブル含有水による植物の生育促進効果を発揮させ、又は従来よりも向上させることができる。更には、供給源面の下に存在する供給源面を含む供給源へのナノバブル含有水の混入又は浸入を防止し、又は抑制することができる。従って、本実施の形態に係る植物栽培装置、栽培パネル及び植物栽培方法によれば、生育環境、特に培養液等への影響を抑えつつ、ナノバブル含有水による植物の生育促進効果を発揮させ、又は従来よりも向上させることができる。
【００４５】
また、本実施の形態に係る植物栽培装置においては、供給源である培養液等に対して直接ナノバブル処理を行う従来の植物栽培装置よりもナノバブル含有水供給源内のナノバブル発生装置を小型化することができる。これは、本実施の形態に係る植物栽培装置では、栽培される植物体にナノバブル含有水を直接接触させることができるため、従来の植物栽培装置よりもナノバブル含有水中のナノバブルを低濃度とすることができ、また、供給されるナノバブル含有水を少量とすることが可能であることが１つの理由である。また、本実施の形態に係る植物栽培装置では、栽培される植物体にナノバブル含有水を直接接触させることができるため、間欠散布が可能であることも理由の１つである。そのため、本実施の形態に係る植物栽培装置は、従来の植物栽培装置よりも小型化することができる。
【００４６】
また、本実施の形態に係る植物栽培装置及び植物栽培方法においては、供給源である培養液等に対して直接ナノバブル処理を行う従来の植物栽培装置及び植物栽培方法よりもナノバブル発生装置の稼動時間を短くすることができる。これは、本実施の形態に係る植物栽培装置及び植物栽培方法では、上述のように、従来の植物栽培装置及び植物栽培方法よりもナノバブル含有水中のナノバブルを低濃度とすることができ、また、供給されるナノバブル含有水を少量とすることが可能であること及び間欠散布が可能であるからである。特に、下方開放部によって形成される空間が閉空間である場合には、微細化したナノバブル含有水を空間内に長時間滞留させやすく、ナノバブル含有水中のナノバブルを更に低濃度とすることができ、また、供給されるナノバブル含有水を更に少量とすることが可能であること及び間欠散布の時間間隔を更に拡大することが可能である。
【００４７】
＜実施の形態２＞
実施の形態１においては、上方開放部１１３及び下方開放部１１４の双方を含む植物栽培装置１００を例示して説明したが、本発明はこれに限定されるものではない。下方開放部１１４を有さない植物栽培装置も本発明の一態様である。
【００４８】
図９は、本発明の実施の形態２に係る植物栽培装置の一構成例を示す図である。図９に示す植物栽培装置１００Ａは、植物体支持体１１０Ａと、植物体支持体１１０Ａにナノバブル含有水を供給可能なナノバブル含有水供給源１２０とを有する。植物体支持体１１０Ａは、複数の通水孔１１１を含み、植物体を支持する植物体支持部１１２と、植物体支持体上部である上方開放部１１３とを有する。上方開放部１１３は、植物体支持部１１２の表面１１２ｆ側に配されて上部１１３Ｕが開放された、ナノバブル含有水を保持可能な植物体支持体上部である。上方開放部１１３には、ナノバブル含有水をナノバブル含有水供給源１２０から供給可能である。
【００４９】
なお、図９に示す植物栽培装置１００Ａにおいても、実施の形態１と同様に、植物体支持体１１０Ａは、植物体支持体１１０Ａの設置面上に自立可能であることが好ましいが、これに限定されるものではない。植物体支持体１１０Ａが、植物体支持体１１０Ａの設置面上に自立可能である場合には、植物体支持体１１０Ａを自立補助具のない簡素な構成とすることができる。
【００５０】
なお、図９に示す植物栽培装置１００Ａにおいても、実施の形態１と同様に、供給源面１１５は、液面及び固体面のいずれかであればよい。液面は、水面及び培養液面のいずれかであればよく、固体面は、土壌面及び培地面のいずれかであればよい。供給源面１１５の下には、供給源面１１５を含む供給源１１５ｓが存在する。供給源１１５ｓは、液体及び固体のいずれかであればよく、固体である場合には土壌及び培地のいずれかであればよく、液体である場合には水及び培養液のいずれかであればよい。なお、供給源１１５ｓである固体には、地面から採取後に調整を行っていない土壌である表土、地面から採取後に植物栽培に適した物理化学条件になるように調整を行った土壌である培養土、砂又はバーミキュライト等の粒子状鉱物、粒子状のサンゴ等の粒子状生物由来物質、及び寒天又はゼラチン等のゲル状物質を例示することができる。ただし、本実施の形態に係る植物栽培装置においても、供給源１１５ｓが培養液である場合、すなわち供給源面１１５が培養液面である場合にその効果が特に顕著であるといえる。
【００５１】
なお、図９に示す植物栽培装置１００Ａにおいても、実施の形態１と同様に、図３に示すナノバブル含有水供給源１２０を用いることができる。
【００５２】
なお、図９に示す植物栽培装置１００Ａにおいても、実施の形態１と同様に、図４に示すように、通水孔１１１が含む貫通孔１１１１には吸水体１１１２が配されている。吸水体１１１２には、実施の形態１と同様に、綿、フェルト、ガーゼ、布、コルク等の木材、スポンジ、ロックウール及びパーム繊維を例示することができるが、吸水体１１１２は、ナノバブル含有水を吸水可能であればこれらに限定されるものではない。ただし、実施の形態１と同様に、通水孔１１１に吸水体１１１２が配されていなくてもよい。この場合には、実施の形態１と同様に、吸水体１１１２に代えて植物体の固定を補助する部材が設けられていることが好ましい。
【００５３】
なお、図９に示す植物栽培装置１００Ａが有する植物体支持体１１０Ａである栽培パネルも本発明の一態様である。すなわち、本発明の一態様である栽培パネルは、複数の通水孔１１１を含み、植物体を支持する植物体支持部１１２と、植物体支持部１１２の表面１１２ｆ側に配されて上部１１３Ｕが開放された、ナノバブル含有水を保持可能な植物体支持体上部である上方開放部１１３とを有する。なお、本発明の一態様である栽培パネルの表面は、撥水性、抗菌性及び耐腐食性を有する。
【００５４】
次に、本実施の形態に係る植物栽培方法について説明する。本実施の形態に係る植物栽培方法は、通水孔１１１が設けられた植物体支持部１１２を有する植物体支持体１１０Ａによる植物栽培方法である。なお、本実施の形態に係る植物栽培方法の説明については、実施の形態１における図５，６を援用する。
【００５５】
まず、通水孔１１１に植物体１３０を配置する。通水孔１１１への植物体１３０の配置は、供給源面１１５に植物体１３０の根部１３１をさらすように行われる。そして、植物体支持部１１２の表面１１２ｆ側にナノバブル含有水を供給する。なお、根部１３１の下部は、供給源面１１５を含む供給源１１５ｓ内に侵入していてもよい。このように、植物体支持部１１２の表面１１２ｆ側のナノバブル含有水が通水孔１１１を介して植物体１３０の根部１３１及び茎部の一方又は双方に接触して供給されるため、ナノバブル含有水による植物の生育促進効果を発揮させ、又は従来よりも向上させることが可能となる。
【００５６】
なお、本実施の形態に係る植物栽培方法においても、実施の形態１と同様に、供給源面１１５は、液面及び固体面のいずれかであればよい。液面は、水面及び培養液面のいずれかであればよく、固体面は、土壌面及び培地面のいずれかであればよい。供給源面１１５の下には、供給源面１１５を含む供給源１１５ｓが存在する。供給源１１５ｓは、液体及び固体のいずれかであればよく、固体である場合には土壌及び培地のいずれかであればよく、液体である場合には水及び培養液のいずれかであればよい。ただし、本実施の形態に係る植物栽培方法においても、供給源１１５ｓが培養液である場合、すなわち供給源面１１５が培養液面である場合にその効果が特に顕著であるといえる。なお、図９においては、供給源面１１５は、植物体支持部１１２の裏面１１２ｒと接しているが、本発明はこれに限定されるものではなく、供給源面１１５と植物体支持部１１２の裏面１１２ｒとの間に隙間が設けられていてもよい。
【００５７】
本実施の形態に係る植物栽培装置、栽培パネル及び植物栽培方法によれば、植物体にナノバブル含有水を直接供給することができる。そのため、ナノバブル含有水による植物の生育促進効果を発揮させ、又は従来よりも向上させることができる。更には、供給源面の下に存在する供給源面を含む供給源へのナノバブル含有水の混入又は浸入を防止し、又は抑制することができる。従って、本実施の形態に係る植物栽培装置、栽培パネル及び植物栽培方法によれば、生育環境、特に培養液等への影響を抑えつつ、ナノバブル含有水による植物の生育促進効果を発揮させ、又は従来よりも向上させることができる。
【００５８】
また、本実施の形態に係る植物栽培装置は、実施の形態１と同様に、従来の植物栽培装置よりも小型化することができる。また、本実施の形態に係る植物栽培装置及び植物栽培方法においては、実施の形態１と同様に、従来の植物栽培装置及び植物栽培方法よりもナノバブル発生装置の稼動時間を短くすることができる。
【００５９】
＜実施の形態３＞
実施の形態１，２においては、いずれも上方開放部１１３を有する植物栽培装置１００，１００Ａを例示して説明したが、本発明はこれに限定されるものではない。上方開放部１１３を有さない植物栽培装置も本発明の一態様である。
【００６０】
図１０は、本発明の実施の形態３に係る植物栽培装置の一構成例を示す図である。図１０に示す植物栽培装置１００Ｂは、植物体支持体１１０Ｂと、植物体支持体１１０Ｂにナノバブル含有水を供給可能なナノバブル含有水供給源１２０と、ナノバブル含有水供給源１２０からのナノバブル含有水を微細化して供給可能なナノバブル含有水滴供給手段１１７とを有する。植物体支持体１１０Ｂは、植物体を支持する植物体支持部１１２Ｂと、植物体支持体下部である下方開放部１１４とを有する。下方開放部１１４は、植物体支持部１１２Ｂの裏面１１２Ｂｒ側に配されて下部１１４Ｌが開放された植物体支持体下部である。なお、植物体支持部１１２Ｂは、図１０に示すように、非通水孔１１１Ｎを有する。非通水孔１１１Ｎは、実施の形態１，２における通水孔１１１とは異なり、非貫通の形状である。非通水孔１１１Ｎの下部には植物体支持手段１１１Ｂが設けられており、植物体支持手段１１１Ｂは配された植物を支持可能である。非通水孔１１１Ｎの上部には空洞が存在し、配された植物の地上部分である葉茎部が、この空洞に収められる。植物体支持手段１１１Ｂには、図示しない把持手段が設けられることで植物体を支持することが可能であればよい。ここで、植物体支持部１１２Ｂは、植物体支持手段１１１Ｂに配された植物に光を供給可能な構成とする。例えば、植物体支持部１１２Ｂを透光性材料で形成し、又は非通水孔１１１Ｎの内部に発光源を設ける。ここで、透光性材料は、例えばガラス又はアクリルである。また、非通水孔１１１Ｎ及び植物体支持手段１１１Ｂは、植物体支持手段１１１Ｂに配される植物の種類、生育段階及び目的等を考慮して、その形状及び大きさ等を決定する。ただし、本実施の形態に係る植物栽培装置はこれに限定されず、植物体支持部１１２Ｂには、非通水孔１１１Ｎに代えて、実施の形態１，２における通水孔１１１と同様に、植物体支持部１１２Ｂの表面１１２Ｂｆ側に貫通した貫通孔が設けられていてもよい。
【００６１】
下方開放部１１４は、植物体支持部１１２Ｂの下方に配された植物体への供給源１１５ｓの表面である供給源面１１５と植物体支持部１１２Ｂの裏面１１２Ｂｒとの間に空間１１６を形成可能であり、下方開放部１１４の内部である空間１１６には、微細化されたナノバブル含有水を供給可能である。なお、本実施の形態においても、実施の形態１と同様に、空間１１６は閉空間であることが好ましい。
【００６２】
なお、図１０に示す植物栽培装置１００Ｂにおいても、実施の形態１，２と同様に、植物体支持体１１０Ｂは、植物体支持体１１０Ｂの設置面上に自立可能であることが好ましいが、これに限定されるものではない。植物体支持体１１０Ｂが、植物体支持体１１０Ｂの設置面上に自立可能である場合には、植物体支持体１１０Ｂを自立補助具のない簡素な構成とすることができる。
【００６３】
なお、図１０に示す植物栽培装置１００Ｂにおいても、実施の形態１，２と同様に、供給源面１１５は、液面及び固体面のいずれかであればよい。液面は、水面及び培養液面のいずれかであればよく、固体面は、土壌面及び培地面のいずれかであればよい。供給源面１１５の下には、供給源面１１５を含む供給源１１５ｓが存在する。供給源１１５ｓは、液体及び固体のいずれかであればよく、固体である場合には土壌及び培地のいずれかであればよく、液体である場合には水及び培養液のいずれかであればよい。なお、供給源１１５ｓである固体には、地面から採取後に調整を行っていない土壌である表土、地面から採取後に植物栽培に適した物理化学条件になるように調整を行った土壌である培養土、砂又はバーミキュライト等の粒子状鉱物、粒子状のサンゴ等の粒子状生物由来物質、及び寒天又はゼラチン等のゲル状物質を例示することができる。ただし、本実施の形態に係る植物栽培装置においても、供給源１１５ｓが培養液である場合、すなわち供給源面１１５が培養液面である場合にその効果が特に顕著であるといえる。
【００６４】
なお、図１０に示す植物栽培装置１００Ｂにおいても、実施の形態１，２と同様に、図３に示すナノバブル含有水供給源１２０を用いることができる。
【００６５】
なお、図１０に示す植物栽培装置１００Ｂにおける植物体支持手段１１１Ｂにおいても、実施の形態１，２における通水孔１１１と同様に、吸水体１１１２が配されている。吸水体１１１２には、実施の形態１，２と同様に、綿、フェルト、ガーゼ、布、コルク等の木材、スポンジ、ロックウール及びパーム繊維を例示することができるが、吸水体１１１２は、ナノバブル含有水を吸水可能であればこれらに限定されるものではない。ただし、実施の形態１，２と同様に、通水孔１１１に吸水体１１１２が配されていなくてもよい。この場合には、実施の形態１，２と同様に、吸水体１１１２に代えて植物体の固定を補助する部材が設けられていることが好ましい。なお、吸水体１１１２に代えて植物体の固定を補助する部材が設けられている場合には、上述の把持手段が設けられていなくてもよい。
【００６６】
なお、図１０に示す植物栽培装置１００Ｂが有する植物体支持体１１０Ｂである栽培パネルも本発明の一態様である。すなわち、本発明の一態様である栽培パネルは、植物体を支持する植物体支持部１１２Ｂと、植物体支持部１１２Ｂの裏面１１２Ｂｒ側に配されて下部１１４Ｌが開放された植物体支持体下部である下方開放部１１４とを有し、下方開放部１１４は、下方開放部１１４の下方に配される供給源面１１５と植物体支持部１１２Ｂの裏面１１２Ｂｒとの間に空間１１６を形成可能な形状である。なお、本発明の一態様である栽培パネルの表面は、撥水性、抗菌性及び耐腐食性を有する。
【００６７】
次に、本実施の形態に係る植物栽培方法について説明する。本実施の形態に係る植物栽培方法は、植物体支持手段１１１Ｂが設けられた植物体支持部１１２Ｂを有する植物体支持体１１０Ｂによる植物栽培方法である。植物体支持体１１０Ｂの供給源面１１５と植物体支持部１１２Ｂの裏面１１２Ｂｒとの間には、空間１１６が形成されている。なお、本実施の形態に係る植物栽培方法の説明については、実施の形態１における図５，６を援用する。
【００６８】
まず、植物体支持部１１２Ｂの植物体支持手段１１１Ｂに植物体１３０を配置する。植物体支持手段１１１Ｂへの植物体１３０の配置は、空間１１６に少なくとも植物体１３０の根部１３１の上部をさらしつつ供給源面１１５に植物体１３０の根部１３１の下部をさらすように行われる。そして、空間１１６にナノバブル含有水を微細化して供給する。なお、根部１３１の下部は、供給源面１１５を含む供給源１１５ｓ内に侵入していてもよい。このように、空間１１６のナノバブル含有水が植物体１３０の根部１３１及び茎部の一方又は双方に接触して供給されるため、ナノバブル含有水による植物の生育促進効果を発揮させ、又は従来よりも向上させることが可能となる。
【００６９】
なお、本実施の形態に係る植物栽培方法においても、実施の形態１，２と同様に、供給源面１１５は、液面及び固体面のいずれかであればよい。液面は、水面及び培養液面のいずれかであればよく、固体面は、土壌面及び培地面のいずれかであればよい。供給源面１１５の下には、供給源面１１５を含む供給源１１５ｓが存在する。供給源１１５ｓは、液体及び固体のいずれかであればよく、固体である場合には土壌及び培地のいずれかであればよく、液体である場合には水及び培養液のいずれかであればよい。ただし、本実施の形態に係る植物栽培方法においても、供給源１１５ｓが培養液である場合、すなわち供給源面１１５が培養液面である場合にその効果が特に顕著であるといえる。
【００７０】
本実施の形態に係る植物栽培装置、栽培パネル及び植物栽培方法によれば、植物体にナノバブル含有水を直接供給することができる。そのため、ナノバブル含有水による植物の生育促進効果を発揮させ、又は従来よりも向上させることができる。更には、供給源面の下に存在する供給源面を含む供給源へのナノバブル含有水の混入又は浸入を防止し、又は抑制することができる。従って、本実施の形態に係る植物栽培装置、栽培パネル及び植物栽培方法によれば、生育環境への影響を抑えつつ、ナノバブル含有水による植物の生育促進効果を発揮させ、又は従来よりも向上させることができる。
【００７１】
また、本実施の形態に係る植物栽培装置は、実施の形態１，２と同様に、従来の植物栽培装置よりも小型化することができる。また、本実施の形態に係る植物栽培装置及び植物栽培方法においては、実施の形態１，２と同様に、従来の植物栽培装置及び植物栽培方法よりもナノバブル発生装置の稼動時間を短くすることができる。
【００７２】
なお、実施の形態１，２においては、複数の通水孔を含む植物体支持部を例示して説明したが、本発明はこれらに限定されるものではなく、植物体支持部の通水孔は、一つ又は複数である。
【００７３】
なお、実施の形態１，２に係る植物栽培装置及び栽培パネルにおける植物体支持体上部としては、上部が開放された上方開放部を示しているが、本発明はこれに限定されるものではなく、植物体支持体上部においては、上部が閉じられていてもよい。植物体支持体上部の上部が閉じられている場合には、例えば植物体支持体上部の側面に通気孔を設けることで植物体支持体上部の内部に形成される上部空間の通気を可能とすることが特に好ましい。
【００７４】
なお、実施の形態１，３に係る植物栽培装置及び栽培パネルにおける植物体支持体下部としては、下部が開放された下方開放部を示しているが、本発明はこれに限定されるものではなく、植物体支持体下部においては、下部が閉じられていてもよい。植物体支持体下部の下部が閉じられている場合には、植物体支持体下部の底に、供給源である液体及び固体のいずれかを配すればよい。
【００７５】
なお、実施の形態１，２及び３の各々において説明した各構成は、発明の趣旨を逸脱しない範囲で各実施の形態内の他の構成と組み合わせてもよい。また、これらの各構成は、発明の趣旨を逸脱しない範囲で各実施の形態とは異なる他の実施の形態内の構成と組み合わせてもよい。また、発明の趣旨を逸脱しない範囲で、種々の改変を行ってもよい。
【符号の説明】
【００７６】
１００，１００Ａ，１００Ｂ  植物栽培装置
１１０，１１０Ａ，１１０Ｂ  植物体支持体
１１１，１１１Ａ  通水孔
１１１１  貫通孔
１１１２  吸水体
１１１Ｂ  植物体支持手段
１１１Ｎ  非通水孔
１１２，１１２Ｂ  植物体支持部
１１２ｆ  植物体支持部１１２の表面
１１２ｒ  植物体支持部１１２の裏面
１１２Ｂｆ  植物体支持部１１２Ｂの表面
１１２Ｂｒ  植物体支持部１１２Ｂの裏面
１１３  上方開放部
１１３Ｕ  上部
１１３Ｓ  側面
１１４  下方開放部
１１４Ｌ  下部
１１４Ｓ  側面
１１５  供給源面
１１５ｓ  供給源
１１６  空間
１１７  ナノバブル含有水滴供給手段
１２０  ナノバブル含有水供給源
１２１  ナノバブル発生装置
１２２  ナノバブル含有水タンク
１３０，１３０Ａ  植物体
１３１，１３１Ａ  根部
【図１】
2018171021.tif 000003
【図２】
2018171021.tif 000004
【図３】
2018171021.tif 000005
【図４】
2018171021.tif 000006
【図５】
2018171021.tif 000007
【図６】
2018171021.tif 000008
【図７】
2018171021.tif 000009
【図８】
2018171021.tif 000010
【図９】
2018171021.tif 000011
【図１０】
2018171021.tif 000012